(57)【要約】      （修正有）【課題】ＲＡＷデータを記録する方式の撮像装置において，撮像結果をサムネイル画像によりユーザーに紹介する時間を短くすることができるようにする。【解決手段】撮像したＲＡＷデータＤＲのメイン画像の間引きによるサムネイル画像データＤＴを，撮影時の画質補正情報ＤＳ０乃至ＤＳ３と共に記録する。撮像結果の一覧表示の際には，ＲＡＷデータファイルからサムネイル画像データＤＴを抽出し，画質補正情報ＤＳ０乃至ＤＳ３により補正を行って表示する。【選択図】図２
2006340120.tif 000002
【特許請求の範囲】
【請求項１】
撮像面に形成された光学像の撮像結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正処理して画質補正済みの画像データを出力する画像処理部と、
前記画質補正済みの画像データによる画像を表示する表示部と、
前記画質補正前の画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部とを有する
ことを特徴とする撮像装置。
【請求項２】
前記撮像結果のファイルが、
前記撮影時の撮影情報に対応する編集処理による撮影情報を追加記録可能なファイルである
ことを特徴とする撮像装置。
【請求項３】
前記撮影時の撮影情報が、
前記画質補正情報と、前記光学系の設定の情報である
ことを特徴とする請求項１に記載の撮像装置。
【請求項４】
前記画質補正済みの画像データより画質補正済みのサムネイル画像データを生成する画質補正済みのサムネイル画像データ生成部を有し、
前記データ出力部は、
前記画質補正前の画像データ、前記画質補正前のサムネイル画像データ、前記撮影時の撮影情報に、前記画質補正済みのサムネイル画像データを加えて、前記撮像結果のファイルを作成する
ことを特徴とする請求項１に記載の撮像装置。
【請求項５】
撮像素子から得られる撮像結果による画像データを画質補正処理して表示部に表示する撮像結果の処理方法において、
前記画質補正処理の前の画像データである画質補正前の画像データ、前記画質補正前の画像データを間引きした画質補正前のサムネイル画像データ、少なくとも前記画質補正処理を特定する画質補正情報を有する撮影時の撮影情報により、前記撮像結果のファイルを作成して出力するデータ出力のステップを有する
ことを特徴とする撮像結果の処理方法。
【請求項６】
前記撮像結果のファイルが、
前記撮影時の撮影情報に対応する編集処理による撮影情報を追加記録可能なファイルである
ことを特徴とする請求項５に記載の撮像結果の処理方法。
【請求項７】
撮像装置により得られる撮像結果のファイルを処理する画像処理装置において、
前記撮像装置は、
撮像面に形成され光学像の撮影結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正して画質補正済みの画像データを出力する画像処理部と、
前記画質補正済みの画像データによる画像を表示する表示部と、
前記画質補正前の画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部とを有し、
前記画像処理装置は、
前記撮像結果のファイルを取得するデータ取得部と、
前記データ取得部で取得した前記撮像結果のファイルに設けられた画質補正情報により、前記サムネイル画像データを画質補正して、前記画質補正済みの画像データに対応する画質補正済みのサムネイル画像データを生成する画像処理部と、
前記画質補正済みのサムネイル画像データによる画像を表示する画像表示部とを有し、
前記画像表示部による前記画質補正済みのサムネイル画像データによる画像の表示が、前記データ取得部で取得した前記撮像結果のファイルの一覧表示である
ことを特徴とする画像処理装置。
【請求項８】
撮像装置により得られる撮像結果のファイルを処理する撮像結果の処理方法において、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法は、
前記撮像結果のファイルを取得するデータ取得のステップと、
前記データ取得のステップで取得した前記撮像結果のファイルに設けられた画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みのサムネイル画像データによる画像の表示が、前記データ取得のステップで取得した前記撮像結果のファイルの一覧表示である
ことを特徴とする撮像結果の処理方法。
【請求項９】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項８に記載の撮像結果の処理方法。
【請求項１０】
前記編集画像の表示ステップは、
前記画質補正前の画像データを前記編集処理による撮影情報により画質補正して編集時における画質補正済みの画像データを生成し、前記編集時における画質補正済みの画像データによる画像を、前記画質補正済みのサムネイル画像データによる画像の表示に置き換えて表示する
ことを特徴とする請求項９に記載の撮像結果の処理方法。
【請求項１１】
前記編集画像による表示ステップによる前記画質補正済みのサムネイル画像データによる画像の表示が、プレビューによる画像であり、
前記プレビューによる画像を部分的に拡大した拡大画像を表示する拡大画像の表示ステップを有し、
前記拡大画像の表示ステップは、
前記プレビューに供する前記画質補正済みのサムネイル画像データを拡大して表示した後、
前記画質補正前の画像データを前記編集処理による撮影情報により画質補正して編集時における画質補正済みの画像データを生成し、前記編集時における画質補正済みの画像データによる画像を、前記画質補正済みのサムネイル画像データによる画像の表示に置き換えて表示する
ことを特徴とする請求項９に記載の撮像結果の処理方法。
【請求項１２】
撮像装置により得られる撮像結果のファイルを処理する撮像結果の処理方法のプログラムにおいて、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法のプログラムは、
前記撮像結果のファイルを取得するデータ取得のステップと、
前記データ取得のステップで取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みサムネイル画像データによる画像の表示が、前記データ取得のステップで取得した前記撮像結果のファイルの一覧表示である
ことを特徴とする撮像結果の処理方法のプログラム。
【請求項１３】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項１２に記載の撮像結果の処理方法のプログラム。
【請求項１４】
撮像装置により得られる撮像結果のファイルを処理する撮像結果の処理方法のプログラムを記録した記録媒体において、
前記撮像結果のファイルが、
表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、
前記撮像結果の処理方法のプログラムは、
前記撮像結果のファイルを取得するデータ取得のステップと、
前記データ取得のステップで取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、
前記画質補正済みのサムネイル画像データによる画像を表示する画像表示のステップとを有し、
前記画像表示のステップによる前記画質補正済みのサムネイル画像データによる画像の表示が、前記データ取得のステップで取得した前記撮像結果のファイルの一覧表示である
ことを特徴とする撮像結果の処理方法のプログラムを記録した記録媒体。
【請求項１５】
前記撮影時の撮影情報に対応する編集処理による撮影情報の入力を受け付ける入力のステップと、
前記編集処理による撮影情報により、前記画質補正前のサムネイル画像データを画質補正して表示する編集画像の表示ステップと、
前記編集処理による撮影情報を前記撮像結果のファイルに追加記録する編集処理による撮影情報記録ステップとを有する
ことを特徴とする請求項１４に記載の撮像結果の処理方法のプログラムを記録した記録媒体。
【請求項１６】
撮像結果を取得して処理する撮像結果の処理システムにおいて、
前記撮像結果を取得する撮像装置と、
前記撮像結果を処理する画像処理装置とを有し、
前記撮像装置は、
撮像面に形成された光学像の撮像結果を出力する撮像素子と、
前記撮像面に前記光学像を形成する光学系と、
前記撮像結果をアナログディジタル変換処理して画質補正前の画像データを出力するアナログディジタル変換部と、
前記画質補正前の画像データを画質補正処理して画質補正済みの画像データを出力する画像処理部と、
前記画質補正済みの画像データによる画像を表示する表示部と、
前記画像データを間引きして画質補正前のサムネイル画像データを生成する画質補正前のサムネイル画像データ生成部と、
前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、
前記画像処理装置は、
前記撮像結果のファイルを取得するデータ取得部と、
前記データ取得部で取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理部と、
前記画質補正済みのサムネイル画像データによる画像を表示する画像表示部とを有し、
前記画像表示部による前記画質補正済みのサムネイル画像データによる画像の表示が、前記データ取得部で取得した前記撮像結果のファイルの一覧表示である
ことを特徴とする撮像結果の処理システム。
【発明の詳細な説明】
【技術分野】
【０００１】
本発明は、撮像装置、撮像結果の処理方法、画像処理装置、撮像結果の処理方法のプログラム、撮像結果の処理方法のプログラムを記録した記録媒体及び撮像結果の処理システムに関し、例えば電子スチルカメラによるシステムに適用することができる。本発明は、ＲＡＷデータの間引きによるサムネイル画像データをＲＡＷデータ、表示に供する撮影時の画質補正の情報と共に記録することにより、ＲＡＷデータによる撮像結果をサムネイル画像によりユーザーに紹介する時間を、従来に比して短くすることができるようにする。
【背景技術】
【０００２】
従来、電子スチルカメラは、撮像結果をいわゆるＲＡＷデータの形式により記録媒体に記録するものが提供されている。ここでＲＡＷデータは、撮像素子から得られる撮像結果による画像データであって、ガンマ補正処理、オートホワイトバランス調整処理、撮影モードによる色相補正処理、周波数特性の補正処理等の、撮像結果の表示に供する一連の画質補正処理を実行していない画質補正前の画像データである。また撮影モードは、例えば人物撮影、風景撮影等の撮影のシーンによって、画質を補正するモードである。
【０００３】
このようなＲＡＭデータに係る電子スチルカメラに関して、特開平６−９０４３５号公報、特開２００３−３４６１４３号公報等には、記録媒体に記録された撮像結果をコンピュータにより処理する際に、記録媒体に記録されたＲＡＷデータを間引きしてサムネイル画像を生成し、このサムネイル画像により撮像結果を表示する方法が提案されている。この方法によれば、このサムネイル画像によりプレビューの処理を実行することにより、編集結果の確認に要する時間を短くすることができ、その分、ユーザーの使い勝手を向上することができる。
【０００４】
また電子スチルカメラは、画質調整処理した撮像結果を記録媒体に記録するものもある。このような電子スチルカメラでは、この画質調整した画像データである画質調整済みの画像データを間引きしてインデックス用のサムネイル画像を生成し、このインデックス用のサムネイル画像を画質調整処理した撮像結果と共にＥＸＩＦ（EXchangeable Image file Format）等のファイルフォーマットにより記録媒体に記録する。これによりこの種の電子スチルカメラでは、このサムネイル画像による記録媒体に記録された撮像結果を簡易に一覧表示できるように構成される。
【０００５】
ところで特開平６−９０４３５号公報等に開示されている手法は、サムネイル画像の生成に時間を要することにより、記録媒体に記録された撮像結果のサムネイル画像による一覧表示に時間を要する問題がある。これによりこの方法の場合、ユーザーによる使い勝手が悪い欠点がある。
【特許文献１】特開平６−９０４３５号公報
【特許文献２】特開２００３−３４６１４３号公報
【発明の開示】
【発明が解決しようとする課題】
【０００６】
本発明は以上の点を考慮してなされたもので、ＲＡＷデータによる撮像結果をサムネイル画像によりユーザーに紹介する時間を、従来に比して短くすることができる撮像装置、撮像結果の処理方法、撮像結果の処理方法のプログラム、撮像結果の処理方法のプログラムを記録した記録媒体及び撮像装置によるシステムを提案しようとするものである。
【課題を解決するための手段】
【０００７】
かかる課題を解決するため請求項１の発明は、撮像装置に適用して、撮像面に形成された光学像の撮像結果を出力する撮像素子と、前記撮像面に前記光学像を形成する光学系と、前記撮像結果をアナログディジタル変換処理して画質補正前の画像データを出力するアナログディジタル変換部と、前記画質補正前の画像データを画質補正処理して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有するようにする。
【０００８】
また請求項５の発明は、撮像素子から得られる撮像結果による画像データを画質補正処理して表示部に表示する撮像結果の処理方法に適用して、前記画質補正処理の前の画像データである画質補正前の画像データ、前記画質補正前の画像データを間引きした画質補正前のサムネイル画像データ、少なくとも前記画質補正処理を特定する画質補正情報を有する前記画像データの撮影時の撮影情報により、前記撮像結果のファイルを作成して出力するデータ出力のステップを有するようにする。
【０００９】
また請求項７の発明は、撮像装置により得られる撮像結果のファイルを処理する画像処理装置に適用して、前記撮像装置は、前記撮像面に前記光学像を形成する光学系と、前記撮像結果をアナログディジタル変換処理して画質補正前の画像データを出力するアナログディジタル変換部と、前記画質補正前の画像データを画質補正して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、前記画像処理装置は、前記撮像結果のファイルを取得するデータ取得部と、前記データ取得部で取得した前記撮像結果のファイルに設けられた画質補正情報により、前記サムネイル画像データを画質補正して、前記画質補正済みの画像データに対応する画質補正済みのサムネイル画像データを生成する画像処理部と、前記画質補正済みのサムネイル画像データによる画像を表示する画像表示部とを有し、前記画像表示部による前記画質補正済みのサムネイル画像データによる画像の表示が、前記データ取得部で取得した前記撮像結果のファイルの一覧表示であるようにする。
【００１０】
また請求項８の発明は、撮像装置により得られる撮像結果のファイルを処理する撮像結果の処理方法に適用して、前記撮像結果のファイルが、前記表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、前記撮像結果の処理方法は、前記撮像結果のファイルを取得するデータ取得のステップと、前記データ取得のステップで取得した前記撮像結果のファイルに設けられた画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、前記画質補正済みのサムネイル画像データによる画像を表示する画像表示のステップとを有し、前記画像表示のステップによる前記画質補正済みのサムネイル画像データによる画像の表示が、前記データ取得のステップで取得した前記撮像結果のファイルの一覧表示であるようにする。
【００１１】
また請求項１２の発明は、撮像装置により得られる撮像結果のファイルを処理する撮像結果の処理方法のプログラムに適用して、前記撮像結果のファイルが、前記表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、前記撮像結果の処理方法のプログラムは、前記撮像結果のファイルを取得するデータ取得のステップと、前記データ取得のステップで取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、前記画質補正済みのサムネイル画像データによる画像を表示する画像表示のステップとを有し、前記画像表示のステップによる前記画質補正済みサムネイル画像データによる画像の表示が、前記データ取得のステップで取得した前記撮像結果のファイルの一覧表示であるようにする。
【００１２】
また請求項１４の発明は、撮像装置により得られる撮像結果のファイルを処理する撮像結果の処理方法のプログラムを記録した記録媒体に適用して、前記撮像結果のファイルが、前記表示に供する画質補正を実行する前の画質補正前の画像データ、前記画質補正前の画像データを間引きした画質補正前のサムネイル画像データ、少なくとも前記画質補正処理を特定する画質補正情報を有する前記画像データの撮影時の撮影情報を有し、前記撮像結果の処理方法のプログラムは、前記撮像結果のファイルを取得するデータ取得のステップと、前記データ取得のステップで取得した前記撮像結果のファイルに設けられた前記画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理のステップと、前記画質補正済みのサムネイル画像データによる画像を表示する画像表示のステップとを有し、前記画像表示のステップによる前記画質補正済みのサムネイル画像データによる画像の表示が、前記データ取得のステップで取得した前記撮像結果のファイルの一覧表示であるようにする。
【００１３】
また請求項１６の発明は、撮像結果を取得して処理する撮像結果の処理システムに適用して、撮像結果を取得して処理する撮像結果の処理システムに適用して、撮像結果を取得する撮像装置と、前記撮像結果を処理する画像処理装置とを有し、前記撮像装置は、撮像面に形成された光学像の撮像結果を出力する撮像素子と、前記撮像面に前記光学像を形成する光学系と、前記撮像結果をアナログディジタル変換処理して画質補正前の画像データを出力するアナログディジタル変換部と、前記画質補正前の画像データを画質補正処理して画質補正済みの画像データを出力する画像処理部と、前記画質補正済みの画像データによる画像を表示する表示部と、前記画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、前記画像処理装置は、前記撮像結果のファイルを取得するデータ取得部と、前記データ取得部で取得した前記撮像結果のファイルに設けられた画質補正情報により、前記画質補正前のサムネイル画像データを画質補正して、前記画質補正前の画像データを前記撮影情報により画質補正した画質補正済みの画像データに対応する画質補正済みのサムネイル画像データを生成する画像処理部と、前記画質補正済みのサムネイル画像データによる画像を表示する画像表示部とを有し、前記画像表示部による前記画質補正済みのサムネイル画像データによる画像の表示が、前記データ取得部で取得した前記撮像結果のファイルの一覧表示であるようにする。
【００１４】
請求項１の構成により、撮像装置に適用して、撮像面に形成された光学像の撮像結果を出力する撮像素子と、前記撮像面に前記光学像を形成する光学系と、前記撮像結果をアナログディジタル変換処理して画質補正前の画像データを出力するアナログディジタル変換部と、前記画質補正前の画像データを画質補正処理して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有するようにすれば、この撮像結果のファイルを処理する際に、サムネイル画像データを撮影時の撮影情報により画質補正して表示することにより、ＲＡＷデータによりサムネイル画像を生成して表示する場合に比して、格段的に短時間でＲＡＷデータによる撮像結果をサムネイル画像によりユーザーに紹介することができる。これによりＲＡＷデータによる撮像結果をサムネイル画像によりユーザーに紹介する時間を、従来に比して短くすることができる。
【００１５】
これにより請求項５の構成によれば、ＲＡＷデータによる撮像結果をサムネイル画像によりユーザーに紹介する時間を、従来に比して短くすることができる撮像結果の処理方法を提供することができる。
【００１６】
また請求項７の構成により、撮像装置により得られる撮像結果のファイルを処理する画像処理装置に適用して、前記撮像装置は、前記撮像面に前記光学像を形成する光学系と、前記撮像結果をアナログディジタル変換処理して画質補正前の画像データを出力するアナログディジタル変換部と、前記画質補正前の画像データを画質補正して画質補正済みの画像データを出力する画像処理部と、前記画質補正済みの画像データによる画像を表示する表示部と、前記画質補正前の画像データを間引きして画質補正前のサムネイル画像データを生成する画質補正前のサムネイル画像データ生成部と、前記画質補正前の画像データ、前記画質補正前のサムネイル画像データ、少なくとも前記画像処理部における前記画質補正処理を特定する画質補正情報を有する撮影時の撮影情報により、前記撮像結果のファイルを作成して出力するデータ出力部を有し、前記画像処理装置は、前記撮像結果のファイルを取得するデータ取得部と、前記データ取得部で取得した前記撮像結果のファイルに設けられた画質補正情報により、前記サムネイル画像データを画質補正して、前記画質補正済みの画像データに対応する画質補正済みのサムネイル画像データを生成する画像処理部と、前記画質補正済みのサムネイル画像データによる画像を表示する画像表示部とを有し、前記画像表示部による前記画質補正済みのサムネイル画像データによる画像の表示が、前記データ取得部で取得した前記撮像結果のファイルの一覧表示であるようにすれば、撮影時に生成したサムネイル画像を有効に利用して短時間でＲＡＷデータによる撮像結果をサムネイル画像により一覧表示することができる。これによりＲＡＷデータによる撮像結果をサムネイル画像によりユーザーに紹介する時間を、従来に比して短くすることができる。
【００１７】
これにより請求項８、請求項１２、請求項１４、請求項１６の構成によれば、ＲＡＷデータによる撮像結果をサムネイル画像によりユーザーに紹介する時間を、従来に比して短くすることができる撮像結果の処理方法、撮像結果の処理方法のプログラム、撮像結果の処理方法のプログラムを記録した記録媒体及び撮像結果の処理システムを提供することができる。
【発明の効果】
【００１８】
本発明によれば、ＲＡＷデータによる撮像結果をサムネイル画像によりユーザーに紹介する時間を、従来に比して短くすることができる。
【発明を実施するための最良の形態】
【００１９】
以下、適宜図面を参照しながら本発明の実施例を詳述する。
【実施例１】
【００２０】
（１）実施例の構成
図１は、本発明の実施例に係る電子スチルカメラシステムに適用される電子スチルカメラを示すブロック図である。この電子スチルカメラシステムは、この電子スチルカメラ１で撮影された撮像結果をコンピュータにより編集処理する。
【００２１】
ここでこの電子スチルカメラ１において、図示しないレンズは、中央処理ユニット（ＣＰＵ）２の制御により絞り、ズーム、フォーカス等による撮影の条件を可変して入射光を集光し、続く撮像素子３の撮像面に光学像を形成する。
【００２２】
撮像素子３は、ＣＣＤ（Charge Coupled Device ）固体撮像素子、ＣＭＯＳ（Complementary Metal-Oxide Semiconductor ）固体撮像素子等により構成され、撮像面に形成された光学像の撮像結果を撮像信号により出力する。
【００２３】
前処理回路４は、この撮像素子３から出力される撮像信号を相関二重サンプリング処理、自動利得調整による信号レベルの補正処理、アナログディジタル変換処理し、これにより撮像結果による画像データを生成する。さらに前処理回路４は、撮像素子３に設けられたカラーフィルタに対応する画像データのサンプリング位相を補正して出力する。
【００２４】
光学補正回路５は、この前処理回路４から出力される画像データを欠陥補正処理し、ＲＡＷデータによる画像データＤＲを出力する。
【００２５】
画像処理回路６は、このＲＡＷデータＤＲによる画像データＤＲを入力し、解像度変換処理、ガンマ補正処理、ホワイトバランス処理、画質調整処理等による画質補正処理を順次実行して、画質補正済みの画像データを出力する。この電子スチルカメラ１は、この画像処理回路６から出力される画質補正済みの画像データにより図示しない表示装置に撮像結果のモニタ画像を表示する。
【００２６】
エンコーダ（ＥＮＣ）７は、例えばＪＰＥＧ（Joint Photographic Coding Experts Group ）によりこの画像処理回路６から出力される画像データをデータ圧縮し、さらにこの画像データによりサムネイル画像を生成してデータ圧縮し、ＥＸＩＦにより処理結果を出力する。また中央処理ユニット２の制御により動作を切り換え、このサムネイル画像によるデータ圧縮された画像データをＲＡＷデータファイル生成回路１０に出力する。
【００２７】
インターフェース（Ｉ／Ｆ）８は、このエンコーダ７の出力データを記録媒体９に記録する。また中央処理ユニット２の制御により動作を切り換え、ＲＡＷデータファイル生成回路１０から出力されるＲＡＷデータファイルのデータを記録媒体９に記録する。また記録媒体９に記録されたデータを再生して各部に出力する。
【００２８】
記録媒体９は、この実施例ではメモリカードであり、インターフェース８から出力される各種のデータを記録する。なおこの記録媒体９は、メモリカードに限らず、光ディスク、磁気ディスク等、種々の記録媒体を広く適用することができる。
【００２９】
ＲＡＷデータファイル生成回路１０は、光学補正回路５から出力されるＲＡＷデータＤＲ、中央処理ユニット２から出力されるサムネイル画像データＤＴ、撮影時の撮影情報ＤＳ等によりＲＡＷデータファイルを生成し、このＲＡＷデータファイルのデータをインターフェース８に出力する。ここでサムネイル画像データＤＴは、ＲＡＷデータＤＲを間引きして生成されるサムネイル画像の画像データである。撮影時の撮影情報ＤＳは、ＲＡＷデータの撮影時、この電子スチルカメラ１に設定された撮影に係る条件の情報であり、画像処理回路６における画質補正処理を特定する画質補正情報、レンズ、撮像素子３の設定を特定する光学系の情報等により構成される。具体的に、画質補正情報は、画像処理回路６における色相、階調、周波数特性等の補正を特定する情報であり、画質補正モード（色モード）の情報等により構成される。これに対して光学系の情報は、シャッター速度、焦点距離、絞り等の情報である。
【００３０】
ＲＡＷデータファイルは、図２に示すように、ＥＸＩＦに準拠したフォーマットによるＲＡＷデータの記録に供するファイルであり、ＥＸＩＦと同様にヘッダーが設けられ、ＩＦＤ（Image File Directory）により各種のデータが割り当てられる。
【００３１】
ここでＲＡＷデータファイルは、ファイル先頭のフィールドＦ１に、メイン画像データの再生に必要な情報（メイン画像データＩＦＤＯ）、このメイン画像データの撮影に係る各種の情報（撮影情報）が記録される。ここでこの実施例では、このメイン画像データにＲＡＷデータＤＲが割り当てられる。またこのメイン画像データの撮影に係る各種の情報は、撮影時に使用した電子スチルカメラ１を特定する情報、上述の撮影に係る条件の情報が割り当てられる。具体的には、ＥＸＩＦの対応する情報が割り当てられ、絞り、フォーカス距離、シャッター速度等の情報、画像処理回路６における画質補正モード等の情報、さらにファイル名、ユーザー名等のＥＸＩＦに定義された情報が割り当てられる。
【００３２】
またＲＡＷデータファイルは、続くフィールドＦ２に、ＪＰＥＧによりデータ圧縮したサムネイル画像データが割り当てられ、さらに続くフィールドＦ３に、この電子スチルカメラ１のメーカーの独自の定義に係る情報（平文部メーカーノートＩＦＤ）が記録される。これらによりＲＡＷデータファイルは、これら先頭３フィールドＦ１〜Ｆ３がＥＸＩＦのフォーマットにより作成され、ＥＸＩＦによるファイルを処理可能な各種アプリケーションによっても、メイン画像データに割り当てたＲＡＷデータを再生できるように設定される。
【００３３】
続いてＲＡＷデータファイルは、続く２つのフィールドＦ４及びＦ５に、メイン画像データに係る撮影時の撮影情報ＤＳ０が割り当てられる。具体的にこの実施例では、先頭側のフィールドＦ４により、ＲＡＷデータの撮影時における電子スチルカメラ１の絞りの設定（０ＥＶ、−１ＥＶ等の設定）、シャッター速度、撮影モード等が記録され、また続くフィールドＦ５に、フィールドＦ４に記録した制御及び処理に係る具体的なパラメータが記録される。これにより絞りは、先頭側のフィールドＦ４に、例えば０ＥＶと記録され、続くフィールドＦ５に、具体的な絞り値５．６等が記録される。また画質補正モードは、先頭側のフィールドＦ４に、オートホワイトバランス調整モード、人物撮影の撮影モード等が記録され、また続くフィールドＦ５に、このオートホワイトバランス調整モードに係る各色信号の利得、撮影モードによる色補正に供するパラメータ等が記録される。
【００３４】
またＲＡＷデータファイルは、続くフィールドＦ６〜Ｆ１１により、同様の撮影情報を所定個数だけ記録可能な領域が設定される。ＲＡＷデータファイルは、この領域に、編集処理による撮影情報ＤＳ１〜ＤＳ３が記録される。ここでこの編集処理による撮影情報ＤＳ１〜ＤＳ３は、撮像時の撮影情報ＤＳ０に対応する編集処理に係る撮影情報であり、またさらに撮影情報ＤＳ１〜ＤＳ３をＲＡＷデータファイルに設定した日時に係る情報が履歴として設けられる。すなわち撮影情報ＤＳ１〜ＤＳ３は、各編集処理による撮影情報ＤＳ１〜ＤＳ３に、それぞれメイン画像データの撮影情報ＤＳ０に対応する情報に履歴の情報が追加され、この情報がメイン画像データの撮影情報ＤＳ０と同様に２つのフィールドに分割されて割り当てられる。
【００３５】
さらにＲＡＷデータファイルは、続くフィールドＦ１２に、サムネイル画像データＤＴの再生に必要な情報が割り当てられ、さらに続くフィールドＦ１３にサムネイル画像データＤＴが割り当てられる。また最後のフィールドＦ１４に、メイン画像データであるＲＡＷデータが割り当てられる。
【００３６】
しかしてＲＡＷデータファイルは、ＲＡＷデータのデータ量が全体のデータ量の９５〔％〕程度を占めることになるが、このＲＡＷデータがファイルの末尾に割り当てられていることにより、ファイル先頭から５〔％〕程度を再生するだけで、サムネイル画像データについては、撮影情報ＤＳ０、編集処理による撮影情報ＤＳ１〜ＤＳ３により処理することができるように設定される。
【００３７】
これらによりＲＡＷデータファイル生成回路１０は、中央処理ユニット２によりこのＲＡＷデータファイルによる撮像結果の記録が指示されると、画像処理回路６から出力されるＲＡＷデータＤＲ、中央処理ユニット２から出力される撮影情報ＤＳ及びサムネイル画像データＤＴ、エンコーダ７により生成されるＪＰＥＧによるサムネイル画像データ等により、このＲＡＷデータファイルのデータを生成してインターフェース８に出力する。
【００３８】
中央処理ユニット２は、メモリ１１に記録された処理プログラムに従ってこの電子スチルカメラ１全体の動作を制御する制御部である。なおこの実施例において、この処理プログラムにあっては、事前に、この電子スチルカメラ１にインストールされて提供されるものの、このような事前のインストールに代えて、インターネット等のネットワークを介したダウンロードにより提供するようにしてもよく、また光ディスク、磁気ディスク、メモリカード等の記録媒体を介して提供するようにしてもよい。
【００３９】
この処理手順の実行により、中央処理ユニット２は、ユーザーにより撮像結果の取得が指示されると、撮像素子３、前処理回路４、光学補正回路５の制御により、ユーザーの指示した絞り、シャッター速度等により撮像結果を取得して図示しないメモリにＲＡＷデータＤＲを保持する。また画像処理回路６の制御により、このＲＡＷデータＤＲによる撮像結果をユーザーにより指示された画質に画質補正して画質補正済みの画像データを生成し、この画質補正済みの画像データによるモニタ画像を表示装置に表示する。
【００４０】
またこのようにして取得した撮像結果の記録がユーザーにより指示されると、この撮像結果を記録媒体９に記録するように全体の動作を制御する。このときユーザーによりＥＸＩＦファイルによる撮像結果の記録が指示されている場合、中央処理ユニット２は、エンコーダ７、インターフェース８の制御により、画像処理回路６から出力される画質補正済み画像データをＪＰＥＧによりデータ圧縮してＥＸＩＦファイルにより記録媒体９に記録する。
【００４１】
これに対してユーザーによりＲＡＷデータＤＲによる撮像結果の記録が指示されている場合、中央処理ユニット２は、メモリに保持したＲＡＷデータＤＲを処理してサムネイル画像データＤＴを生成する。ここで中央処理ユニット２は、このＲＡＷデータＤＲの垂直方向及び水平方向の間引きによりサムネイル画像データＤＴを生成する。なお具体的に、この実施例では、垂直方向及び水平方向にそれぞれ連続する５サンプリングの領域毎に、１サンプリングを選択してサムネイル画像データＤＴを生成する。これにより中央処理ユニット２は、間引き率１／５によりサムネイル画像データＤＴを生成する。また事前に、ローパスフィルタにより水平方向及び垂直方向の解像度を低減し、間引きによる偽信号の発生を防止する。なおここでこのローパスフィルタによる処理は、連続するサンプリング値をｄ１〜ｄ４とおいて、（１×ｄ１＋２×ｄ２＋２×ｄ３＋１×ｄ４）／８の演算処理により実行される。
【００４２】
中央処理ユニット２は、さらにエンコーダ７の制御により画質補正済みの画像データによるサムネイル画像データＤＴを生成し、またこのＲＡＷデータＤＲの撮影時の各部の設定より撮影時の撮影情報ＤＳを生成し、この撮影情報ＤＳ、サムネイル画像データＤＴ、エンコーダ７によるサムネイル画像データＤＴ等をＲＡＷデータファイル生成回路１０に出力し、ＲＡＷデータファイル生成回路１０、インターフェース８の制御により、上述したＲＡＷデータファイルによりＲＡＷデータＤＲを記録媒体９に記録する。
【００４３】
この処理において、中央処理ユニット２は、編集処理による撮影情報ＤＳ１〜ＤＳ３のフィールドＦ６〜Ｆ１１については、例えばダミーデータの設定により意味を有しない情報を設定するようにＲＡＷデータファイル生成回路１０の動作を制御する。
【００４４】
これに対して撮像結果を取得してメモリに保持した状態で、ユーザーにより撮像結果の削除が指示されると、中央処理ユニット２は、このメモリに保持したＲＡＷデータＤＲを削除し、また表示部による撮像結果の表示を中止する。
【００４５】
またユーザーにより動作モードが切り換えられ、記録媒体９に記録された撮像結果の再生が指示されると、中央処理ユニット２は、インターフェース８を介して記録媒体９をアクセスし、記録媒体９に記録されたファイルを記録時に設定したファイル名等によるメニューにより一覧表示する。またユーザーによるこのメニューの選択により、対応するファイルを記録媒体９から再生して表示部に表示する。この処理において、中央処理ユニット２は、ユーザーにより再生が指示されたファイルがＥＸＩＦファイルの場合、このＥＸＩＦファイルに設定されたサムネイル画像によりこの撮像結果を表示する。またユーザーにより再生が指示されたファイルがＲＡＷデータファイルの場合、ファイルの先頭側に設けられたデータ圧縮されたサムネイル画像データにより撮像結果を表示する。
【００４６】
図３は、このようにして記録媒体９に記録された撮像結果の処理に係るコンピュータを示すブロック図である。このコンピュータ２１において、インターフェース（ＩＦ）２２は、中央処理ユニット２３の制御により記録媒体９に記録されたデータを再生してバスＢＵＳに出力し、またバスＢＵＳに出力されるデータを記録媒体９に記録する。
【００４７】
表示部２４は、中央処理ユニット２３の制御により各種の画像を表示し、インターフェース（ＩＦ）２５は、中央処理ユニット２３の制御により印刷に供する各種のデータをプリンタ２６に出力する。入力部２７は、キーボード、マウス等により形成され、ユーザーによる操作を中央処理ユニット２３に出力する。ハードディスク装置２８は、中央処理ユニット２３の各種処理に係るプログラム、データを記録して保持する。
【００４８】
ここでこのハードディスク装置２８に記録されたプログラムにあっては、光ディスク、磁気ディスク、メモリカード等の記録媒体に記録されて提供されるものの、このような記録媒体による提供に代えて、事前のインストールにより、又はインターネット等のネットワークを介したダウンロードにより提供してもよい。
【００４９】
中央処理ユニット２３は、このコンピュータ２１の演算処理部であり、リードオンリメモリ（ＲＯＭ）２９の記録に従ってランダムアクセスメモリ（ＲＡＭ）３０にワークエリアを確保してハードディスク装置２８に記録されたオペレーションシステムを起動する。またこのオペレーションシステムにおけるユーザーの操作に応動して、記録媒体９に記録された撮像結果をユーザーにより指示されたフォルダにダウンロードする。
【００５０】
また入力部２７によるユーザーの指示により、ハードディスク装置２８に記録された撮像結果の編集処理に係るプログラム（以下、編集プログラムと呼ぶ）を起動する。なお以下の説明においては、記録媒体９に上述のＲＡＷデータファイルのみが記録されているとの前提により、中央処理ユニット２３による一連の処理を説明する。
【００５１】
この起動により中央処理ユニット２３は、図４に示すように、この編集プログラムのメイン画面Ｍ１を表示する。またこのメイン画面Ｍ１に表示したメニューの選択により、プルダウンメニューによるサブメニューを表示し、ユーザーによるサブメニューの選択を受け付ける。
【００５２】
中央処理ユニット２３は、このサブメニューの選択によりユーザーがフォルダ又は記録媒体９に記録された撮像結果の一覧表示を指示すると、このユーザーの指示に係るフォルダ又は記録媒体９に記録されたファイルの情報をこれらフォルダ又は記録媒体９のファイル管理システムから取得し、この編集結果プログラムにより処理可能なファイルを選択する。またこの選択したファイルによるサムネイル画像をサブウインドウＭ２により一覧表示する。
【００５３】
ここで図５（Ａ）は、この一覧表示に係るサブウインドウＭ２を示す平面図である。このサブウインドウＭ２は、最上段にタイトルバーが表示され、続いてファイルの保存場所が表示される。また続いて表示の操作に係るスライドボタン等が表示された後、サムネイル画像が順次表示される。中央処理ユニット２３は、このサムネイル画像の表示を図６に示す処理手順により実行する。
【００５４】
すなわち中央処理ユニット２３は、ユーザーにより一覧表示が指示されると、ステップＳＰ１からステップＳＰ２に移り、指示に係る記録媒体９又はフォルダのアクセスにより対応するファイルのデータを取得する。この処理において、中央処理ユニット２は、順次取得されるファイルデータの監視により、ＲＡＷデータの間引きによるサムネイル画像データＤＴと、ＲＡＷデータの画像処理に係る情報とを取得すると、このファイルに係る残るデータの取得を中止する。具体的に、中央処理ユニット２３は、ＲＡＷデータファイルの先頭フィールドＦ１からサムネイル画像データＤＴのフィールドＦ１３までのデータを取得すると、このデータの取得を中止する。
【００５５】
続いて中央処理ユニット２３は、ステップＳＰ３に移り、取得したデータよりＩＦＤを解析し、さらに取得したデータをデータ展開して振り分ける。これにより中央処理ユニット２３は、取得したデータからフィールドＦ１３に設定されたサムネイル画像データＤＴを取得し、またフィールドＦ１２に設定されたこのサムネイル画像データＤＴの再生に必要な情報を取得する。またユーザーによる事前の設定に応じて撮影時の撮影情報ＤＳ０、編集処理による撮影情報ＤＳ１〜ＤＳ３を取得する。
【００５６】
続いて中央処理ユニット２３は、ステップＳＰ４に移り、ステップＳＰ３で取得したサムネイル画像データＤＴを、撮影時の撮影情報ＤＳ０に設定された画質補正情報により画質補正し、これにより撮影時に表示した画質によるサムネイル画像データを生成する。具体的に中央処理ユニット２３は、この撮影情報ＤＳ０に設定された画像処理回路６の設定に係る画質補正情報により、このメイン画像データの撮影時における画像処理回路６の設定を再現し、この再現された設定によりサムネイル画像データＤＴをガンマ補正、ホワイトバランス調整し、さらに階調、色相、周波数特性等を調整する。中央処理ユニット２３は、このようにして画質調整したサムネイル画像データＤＴによる画像を、表示用の画像メモリに記録する。
【００５７】
続いて中央処理ユニット２３は、ステップＳＰ５に移り、サブウインドウＭ２に表示する枚数分、サムネイル画像の取得が完了したか否か判断し、ここで否定結果が得られると、ステップＳＰ２に戻り、続くファイルの処理を開始する。これに対してステップＳＰ５で肯定結果が得られると、中央処理ユニット２３は、ステップＳＰ６に移り、画像メモリに記録した画像によりサブウインドウＭ２を表示し、これにより記録媒体９に記録された撮像結果、このコンピュータ２１にダウンロードした撮像結果をサムネイル画像により一覧表示し、ステップＳＰ７に移ってこの処理手順を終了する。
【００５８】
ここでこの一連の処理は、これら一連の処理に係るＲＡＷデータファイルに、編集処理による撮影情報ＤＳ１〜ＤＳ３が記録されていない場合の処理であり、これにより中央処理ユニット２３は、撮影時の設定に係る撮影情報ＤＳ０によりサムネイル画像データＤＴを画像処理して撮影時に取得した撮像結果を一覧表示する。
【００５９】
これに対して編集処理による撮影情報ＤＳ１〜ＤＳ３が記録されている場合、中央処理ユニット２３は、ステップＳＰ４において、これら編集処理による撮影情報ＤＳ１〜ＤＳ３に設定された履歴の情報に基づいて、最も記録の時点が新しい撮影情報ＤＳ１〜ＤＳ３を選択する。また撮影時の撮影情報ＤＳ０に代えて、この選択した編集処理による撮影情報ＤＳ１〜ＤＳ３を用いてサムネイル画像データＤＴを処理し、これにより編集処理した撮像結果をサムネイル画像により表示する。
【００６０】
なおこのような最も履歴の新しい撮影情報ＤＳ１〜ＤＳ３の選択によるサムネイル画像データＤＴの処理に代えて、撮影時の設定に係る撮影情報ＤＳ０、ＲＡＷデータファイルに記録された撮影情報ＤＳ１〜ＤＳ３のそれぞれによりサムネイル画像データＤＴを画像処理して、１つのＲＡＷデータファイルに対して複数のサムネイル画像を表示するようにしてもよい。またユーザーの設定、指示により、サムネイル画像データの処理に供する撮影情報ＤＳ０〜ＤＳ３を選択するようにしてもよい。
【００６１】
さらにこの一覧表示の処理において、中央処理ユニット２３は、何らユーザーにより一覧表示の形態が指示されていない場合に、図５（Ａ）に示すようにサムネイル画像のみにより撮像結果を一覧表示する。これに対して事前の設定により、又は一覧表示の表示形態の切り換えにより、ユーザーがヒストグラムの表示を指示した場合、図５（Ｂ）（図７参照）に示すように、各撮像結果における色信号の階調分布をサムネイル画像より検出し、この階調分布によるヒストグラムをサムネイル画像と共に表示する。
【００６２】
中央処理ユニット２３は、このようにしてサムネイル画像の一覧表示により撮像結果を表示して、ユーザーによりサムネイル画像が選択されると、メイン画面Ｍ１にサブウインドウＭ３を表示し、このサブウインドウＭ３に対応する撮像結果を表示する。またこのサブウインドウＭ３において、ユーザーがサブウインドウＭ３の大きさを可変すると、このユーザーによる操作に応動してサブウインドウＭ３の大きさを可変して対応する撮像結果を表示する。またこのサブウインドウＭ３で全画面表示が指示されると、図７に示すように、対応する撮像結果をメイン画面Ｍ１に全画面表示する。中央処理ユニット２３は、この撮像結果の表示をサムネイル画像の拡大表示により実行し、これによりユーザーの使い勝手を向上する。
【００６３】
図８は、この撮像結果の表示に係る中央処理ユニット２３の処理手順を示すフローチャートである。中央処理ユニット２３は、この処理手順を開始すると、ステップＳＰ１１からステップＳＰ１２に移り、サムネイル画像データによるサムネイル画像の大きさと、サブウインドウＭ３、メイン画面Ｍ１における表示領域との比較により、サブウインドウＭ３、メイン画面Ｍ１にサムネイル画像データＤＴによる画像を表示する際の拡大率を計算する。また続くステップＳＰ１３において、このステップＳＰ１２で計算した拡大率に応じた前置補間により、一覧表示に係るサムネイル画像を拡大して画像メモリに展開する。また続くステップＳＰ１４において、この画像メモリに展開した拡大表示に係るサムネイル画像をメイン画面Ｍ１に、又はサブウインドウＭ３に表示する。これにより中央処理ユニット２３は、始めにサムネイル画像データによる低解像度により撮像結果をこれらメイン画面Ｍ１又はサブウインドウＭ３に表示する。
【００６４】
このようにしてサムネイル画像を拡大表示すると、中央処理ユニット２３は、ステップＳＰ１５に移り、ここで拡大率が一定値以上か否か判断することにより、このようにして拡大表示したサムネイル画像をＲＡＷデータＤＲによる画像に置き換えて、画質の向上が図れるか否か判断する。ここで否定結果が得られると、中央処理ユニット２３は、ステップＳＰ１５からステップＳＰ１６に移ってこの処理手順を終了する。
【００６５】
これに対してステップＳＰ１５で肯定結果が得られると、中央処理ユニット２３は、ステップＳＰ１５からステップＳＰ１７に移る。ここで中央処理ユニット２３は、この拡大表示に供しているＲＡＷデータファイルよりＲＡＷデータＤＲを取得する。また続くステップＳＰ１８において、拡大表示に係るサムネイル画像の撮影情報により、このＲＡＷデータＤＲを画質補正し、また表示に供する領域の大きさに対応するように、解像度を変換する。
【００６６】
またステップＳＰ１９において、このステップＳＰ１８で処理したＲＡＷデータＤＲによる画像を、拡大表示中のサムネイル画像と置き換えて表示し、ステップＳＰ１６に移ってこの処理手順を終了する。
【００６７】
中央処理ユニット２３は、ステップＳＰ１４によりサムネイル画像を拡大表示した後の、ステップＳＰ１５〜ステップＳＰ１９の処理については、いわゆるバックグラウンドにより空き時間を利用して実行する。これにより中央処理ユニット２３は、ユーザーによる操作に応動して撮影結果を短時間で表示してユーザーの使い勝手を向上する。またこのサムネイル画像の拡大表示により撮像結果を表示した後に、ユーザーによる各種処理の妨げとならないようにして、この表示した撮像結果の画質を向上させる。なおこれにより中央処理ユニット２３は、ステップＳＰ１５〜ステップＳＰ１９の処理を実行している際に、ユーザーによりこの撮像結果の表示の終了が指示されると、即座にこの図８に示す処理手順を終了する。
【００６８】
これに対してサムネイル画像の一覧表示において、ユーザーによりサムネイル画像が選択されて撮影情報の表示が指示されると、図９に示すように、サブウインドウＭ４により選択されたサムネイル画像の表示に供した撮影情報ＤＳ０〜ＤＳ３を表示する。ここでこのサブウインドウＭ４は、右側に、ガンマ特性が特性曲線により表示され、左側に、撮影情報の各項目が表示される。この実施例ではこの各項目に、ホワイトバランス調整の調整モード、ホワイトバランス調整の微調整量、演色性の調整量、彩度の調整量、コントラストの調整量等が設けられる。なおこれらの調整量は、電子スチルカメラ１における設定操作のユーザーインターフェースに対応する操作量により表示される。しかしてこれらにより上述のＲＡＷデータファイルの各撮影情報ＤＳ０〜ＤＳ３では、これらの情報が割り当てられていることになる。
【００６９】
またこのとき図１０に示すように、このユーザーの選択したサムネイル画像に係るＲＡＷデータファイルについて、このＲＡＷデータファイルに設定された撮影情報ＤＳ０〜ＤＳ３の種類を併せて表示する。ここで図１０に示す例において、撮影時設定は、撮影時の撮影情報ＤＳ０を示す。また履歴１〜履歴３は、編集処理による撮影情報ＤＳ１〜ＤＳ３をそれぞれ示し、このコンピュータ２１における後述する編集処理により記録された撮影情報である。また明るめの補正は、同様に、コンピュータ２１における編集処理により、ユーザーがタイトルを付けて記録した撮影情報である。
【００７０】
これに対してサムネイル画像の一覧表示によりユーザーが撮像結果を選択して編集を指示すると、またメイン画面Ｍ１、サブウインドウＭ３により表示した撮像結果の編集をユーザーが指示すると、中央処理ユニット２３は、図１１に示す編集画面をサブウインドウＭ５により表示する。
【００７１】
ここでこのサブウインドウＭ５は、画質調整項目が区分されて、タブにより各区分の調整画面を表示して形成される。また各区分による調整画面にあっては、調整項目毎に、電子スチルカメラ１における設定操作のユーザーインターフェースに対応する操作量により、調整量を設定できるように形成される。これにより図１１の例では、撮影時の設定を基準にして、色温度、演色性の調整用ボタンが、調整量と共に表示され、また露出補正、シャープネスの調整用ボタンが、調整量と共に表示される。
【００７２】
また中央処理ユニット２３は、同時に、サブウインドウＭ６によりプレビュー画面を表示して撮像結果を表示し（図６）、またユーザーによる指示に応動して、このプレビュー画面に表示した撮像結果の各種解析結果をサブウインドウＭ７により表示する。ここでこの解析結果による表示は、図５（Ｂ）について上述した各色信号の階調分布によるヒストグラム表示、図４に示す輝度の階調分布によるヒストグラム表示等である。
【００７３】
中央処理ユニット２３は、このプレビュー画面の表示、解析結果の表示をサムネイル画像データにより実行する。また中央処理ユニット２３は、サブウインドウＭ５におけるタブの選択により、このサブウインドウＭ５の表示を切り換えて各調整項目の設定を受け付ける。このとき中央処理ユニット２３は、ユーザーによる調整量の可変に対応するように、プレビュー画面の画質を可変する。
【００７４】
すなわち中央処理ユニット２３は、サブウインドウＭ５によりユーザーが調整量を可変すると、この調整量の可変に対応するように、プレビュー画面の表示に係る撮影情報を補正し、この補正した撮影情報によりサムネイル画像データを画質補正し、その処理結果による画像をプレビュー表示する。またこのようにして画質補正した画像データの処理により解析結果の表示に必要な情報を取得し、この情報によりサブウインドウＭ７の表示を切り換える。
【００７５】
中央処理ユニット２３は、このようにユーザーの操作に応動してプレビューの処理を実行するようにして、サブウインドウＭ５の最上段に表示した調整するチェックボックスをユーザーがチェックしている場合、サブウインドウＭ５によるプレビュー画面の画質の変更に対応するように、このプレビュー画面における画質の変更と同時に、サブウインドウＭ３による撮像結果の表示の画質、メイン画面Ｍ１における撮像結果の全画面表示による画質を切り換える。またこのときユーザーによるプレビュー画面の特定領域の拡大表示を指示すると、図４に示すように、プレビュー画面に枠Ｗを表示してこの特定領域を示し、破線により関係を示すように、サブウインドウＭ３による撮像結果の表示、又はメイン画面Ｍ１における撮像結果の全画面表示において、この特定領域を拡大表示する。
【００７６】
中央処理ユニット２３は、これらの場合も、始めに、サムネイル画像により編集処理した撮像結果をサブウインドウＭ３又はメイン画面Ｍ１に表示することにより、ユーザーによる操作に応動して編集処理した撮影結果を短時間で表示し、ユーザーの使い勝手を向上する。またサムネイル画像の拡大表示により編集処理した撮像結果を表示した後に、ＲＡＷデータを編集処理して表示を置き換え、これによりユーザーによる各種処理の妨げとならないようにして、この表示した撮像結果の画質を向上させる。
【００７７】
具体的に、図１２は、この編集処理に係る中央処理ユニット２３の処理手順を示すフローチャートである。中央処理ユニット２３は、サブウインドウＭ５によりユーザーが調整量を操作すると、この処理手順を開始してステップＳＰ２１からステップＳＰ２２に移る。ここで中央処理ユニット２３は、このサブウインドウＭ５の調整画面に設定された調整量により撮影時の撮影情報ＤＳ０を補正して編集処理による撮影情報を生成する。またこの撮影情報によりサムネイル画像データＤＴを編集処理し、サムネイル画像の画質を調整する。中央処理ユニット２３は、続くステップＳＰ２３でこの編集処理したサムネイル画像によりプレビューに係るサブウインドウＭ６の表示を切り換える。
【００７８】
中央処理ユニット２３は、続くステップＳＰ２４において、サブウインドウＭ３又はメイン画面Ｍ１への表示に供する拡大率を計算し、この拡大率に応じた前置補間により、編集処理したサムネイル画像をサブウインドウＭ３又はメイン画面Ｍ１に表示する。これにより中央処理ユニット２３は、ユーザーによる操作に応動して編集処理した撮影結果を短時間で表示し、ユーザーの使い勝手を向上する。
【００７９】
続いて中央処理ユニット２３は、ステップＳＰ２５に移る。ここで中央処理ユニット２３は、ステップＳＰ２４で計算した拡大率が一定値以上か否か判断することにより、拡大表示したサムネイル画像をＲＡＷデータＤＲによる画像に置き換えて、画質の向上が図れるか否か判断する。ここで否定結果が得られると、中央処理ユニット２３は、ステップＳＰ２５からステップＳＰ２６に移ってこの処理手順を終了する。
【００８０】
これに対してステップＳＰ２５で肯定結果が得られると、中央処理ユニット２３は、ステップＳＰ２５からステップＳＰ２７に移る。ここで中央処理ユニット２３は、この拡大表示に係るサムネイル画像データＤＴのＲＡＷデータファイルよりＲＡＷデータＤＲを取得する。また続くステップＳＰ２８において、拡大表示に係るサムネイル画像の撮影情報により、このＲＡＷデータＤＲを画質補正してＲＡＷデータＤＲを編集処理し、また表示に供する領域の大きさに対応するように解像度を変換する。
【００８１】
またステップＳＰ２９において、このステップＳＰ２８で処理したＲＡＷデータＤＲによる画像により、サブウインドウＭ３又はメイン画面Ｍ１の表示を置き換え、ステップＳＰ２５に移ってこの処理手順を終了する。
【００８２】
中央処理ユニット２３は、ステップＳＰ２４によりサムネイル画像を拡大表示した後の、ステップＳＰ２５〜ステップＳＰ２９の処理については、いわゆるバックグラウンドにより空き時間を利用して実行する。また中央処理ユニット２３は、ステップＳＰ２５〜ステップＳＰ２９の処理を実行している際に、ユーザーにより調整量が変更されると、即座に実行中のこの図１２に示す処理手順を終了し、改めて変更された調整量によりこの処理手順を開始する。
【００８３】
これに対して編集用のサブウインドウＭ５に設けられた撮影時の設定に戻すのボタンがユーザーにより選択されると、編集用のサブウインドウＭ５の設定をＲＡＷデータファイルに記録された撮影時の撮影情報ＤＳ０の設定に切り換える。また中央処理ユニット２３は、編集用のサブウインドウＭ５に設けられた設定の保存のボタンがユーザーにより選択されると、この編集用のサブウインドウＭ５の設定により編集処理による撮影情報を生成し、この編集処理による撮影情報を対応するＲＡＷファイルデータに記録する。なおこの場合に、中央処理ユニット２３は、編集処理による撮影情報を記録可能なダミーデータによる空き領域がＲＡＷデータファイルに存在していない場合、ユーザーの指示によりこのＲＡＷデータファイルに記録済みの編集処理による撮影情報を削除して、編集処理による撮影情報を記録する。なおこの場合に、フィールドの追加により、編集処理による撮影情報を記録するようにしてもよく、この場合には、この追加のフィールドをＲＡＷデータの後に設けるようにしてもよい。
【００８４】
これによりこのＲＡＷデータファイルは、再びこの編集プログラムにより表示する場合には、この新たに追加記録した編集処理による撮影情報によりサムネイル画像を処理して一覧表示し、さらには編集処理に係る一連の処理を実行することができる。
【００８５】
（２）実施例の動作
以上の構成において、この実施例のシステムに係る電子スチルカメラ１では（図１）、ユーザーにより設定されたシャッター速度、絞り等により図示しない光学系で撮像素子３の撮像面に光学像が形成され、ユーザーによる操作子の操作によりこの光学像による撮像結果が撮像素子３から出力されて前処理回路４、光学補正回路５により処理され、これによりこの撮像結果の表示に係る画質補正前の画像データであるＲＡＷデータＤＲが生成される。またこのＲＡＷデータＤＲが画像処理回路６により画質調整されて表示部により表示される。これによりこの電子スチルカメラ１では、この表示部に表示された撮像結果の確認により、ユーザーが不必要と判断した撮像結果については、何ら保存されることなく破棄されるのに対し、ユーザーが必要と判断した撮像結果については、ユーザーにより指示された保存形態により記録媒体９に記録される。すなわちこの場合、ユーザーがＥＸＩＦのファイルにより記録を指示している場合、画質補正済みの画像データがエンコーダ７によりデータ圧縮されて、画質補正済みのサムネイル画像データ、撮影情報と共に、ＥＸＩＦのファイルによりまとめられ、このＥＸＩＦのファイルが記録媒体９に記録される。これに対してＲＡＷデータＤＲによる撮像結果の記録が指示されている場合、ＲＡＷデータＤＲ、このＲＡＷデータＤＲを間引きして作成されたサムネイル画像データＤＴ、画像処理回路６における画質補正処理を特定する画質補正情報を有する撮影時の撮影情報ＤＳ０によりＲＡＷデータファイルが作成され、このＲＡＷデータファイルが記録媒体９に記録される。
【００８６】
これによりこのＲＡＷデータファイルにあっては、ＲＡＷデータＤＲにより撮像結果が記録され、このＲＡＷデータＤＲによる撮像結果をサムネイル画像によりユーザーに紹介する場合には、サムネイル画像データＤＴを画質補正情報により画質補正して、撮像時、ユーザーが確認した画質による撮像結果をサムネイル画像により表示することができる。しかしてこのサムネイル画像データを画質補正情報により画質補正して表示する処理にあっては、ＲＡＷデータＤＲによりサムネイル画像データを生成しなくてもよいことにより、その分、短時間で撮像結果を確認することができ、その分、ユーザーの使い勝手を従来に比して一段と向上することができる。
【００８７】
実際上、ＲＡＷデータにあっては、大容量であることにより、記録媒体からロードするだけでも、結構な時間を要する。しかしながらこの実施例によれば、ファイル先頭からＲＡＷデータの記録開始位置までの、ＲＡＷデータに比して格段的に少ないデータ量をロードして処理することにより、従来に比して極めて短時間で撮像結果を表示することができ、これにより使い勝手を向上することができる。
【００８８】
また電子スチルカメラ１では、このＲＡＷデータファイルが（図２）、ファイル先頭側がＥＸＩＦファイルと同様に、メイン画像データの情報、ＪＰＥＧによりデータ圧縮した画質補正済みの画像データによるサムネイル画像データ等により形成され、末尾にＲＡＷデータＤＲが割り当てられる。これによりこの電子スチルカメラ１では、このＲＡＷデータファイルの途中に記録されたフィールドＦ４〜Ｆ１３を処理困難な各種のアプリケーションプログラムによっても、ＲＡＷデータＤＲについては処理可能に、またＪＰＥＧによりデータ圧縮した画質補正済みの画像データによるサムネイル画像データについては、表示可能とすることができ、これによりこのＲＡＷデータファイルの汎用性を高めることができる。なおＥＸＩＦファイルでは、データ圧縮した画質補正済みの画像データによるサムネイル画像データに代えて、データ圧縮する前のサムネイル画像データを適用することも可能であることにより、データ圧縮した画質補正済みの画像データによるサムネイル画像データに代えて、データ圧縮する前のサムネイル画像データを適用するようにしてもよい。
【００８９】
またこの電子スチルカメラ１では、このＲＡＷデータファイルが、撮影時の撮影情報ＤＳ０に対応する編集処理による撮影情報ＤＳ１〜ＤＳ３を追加記録可能に、事前にフィールドが確保されて生成される。これによりこのＲＡＷデータファイルに係る編集処理においては、撮影時の撮影情報ＤＳ０に対応する編集処理による撮影情報ＤＳ１〜ＤＳ３を追加記録することにより、また撮影時の撮影情報ＤＳ０に代えて、この編集処理による撮影情報ＤＳ１〜ＤＳ３によりサムネイル画像データを処理することにより、従来に比して短時間で編集結果を反映させたサムネイル画像によりＲＡＷデータによる撮像結果を紹介することができ、その分、一段とユーザーの使い勝手を向上することができる。
【００９０】
なお電子スチルカメラにおける撮像結果の記録は、このようなＲＡＷデータによる方法以外に、ＥＸＩＦファイルのように、画像処理済みの画像データをデータ圧縮して記録する方法がある。しかしながらこのＥＸＩＦファイルでは、このデータ圧縮した画像処理済みの画像データに対応するように、画像処理済みの画像データによるサムネイル画像データを設けることにより、編集処理による画質の変化が反映されるように、サムネイル画像を表示することが困難な特徴がある。これに対してこの実施例によるＲＡＷデータファイルでは、上述した編集処理による撮影情報の利用により、編集処理による画質の変化をサムネイル画像の表示に反映させることができ、その分、ユーザーの使い勝手を向上することができる。
【００９１】
またこの撮影時の撮影情報には、画像処理回路６による画質補正処理を特定する画質補正情報に加えて、シャッター速度、絞り等の光学系の設定の情報が含まれ、これにより編集処理においては、電子スチルカメラ１における撮影時の操作により各種の設定を変更して種々に編集処理することができる。
【００９２】
すなわちこのようにして記録媒体９に記録された撮像結果は、この記録媒体９がコンピュータ２１に装着されて（図３）、ユーザーの操作により、サムネイル画像データ、撮影時の撮影情報ＤＳ０が順次再生され、このサムネイル画像データが撮影時の撮影情報ＤＳ０により画質補正処理されて一覧表示される（図４〜図７）。また所定のフォルダにダウンロードされた後、一覧表示される。これによりユーザーにおいては、サムネイル画像によりＲＡＷデータファイルによる撮像結果の一覧表示を指示して、従来に比して一段と短時間でサムネイル画像が提供され、従来に比して一段と使い勝手を向上することができる。
【００９３】
またこのようにして撮像結果をサムネイル画像により一覧表示する際に、必要に応じて撮影時の撮影情報ＤＳ０に代えて、編集処理による撮影情報ＤＳ１〜ＤＳ３によりサムネイル画像データが画質補正されて表示され、これにより編集処理による画質の変化を反映させてＲＡＷデータによる撮像結果をサムネイル画像により一覧表示することができる。
【００９４】
またこの一覧表示において、撮像結果における輝度分布、色のヒストグラム等の、画像データの解析結果の表示が指示された場合には、サムネイル画像データの処理により表示に供する解析結果が検出され、この解析結果による特性曲線の表示がサムネイル画像と共に表示される（図５（Ｂ））。この表示にあっても、この実施例では、サムネイル画像データによる解析により実行されることにより、格段的に短時間で解析結果を取得して表示することができ、これによっても従来に比してユーザーの使い勝手を向上することができる。
【００９５】
すなわちＲＡＷデータによる撮像結果は、このようにしてサムネイル画像が表示された状態で、ユーザーによる操作に応動して撮影時の撮影情報ＤＳ０等が表示され（図９及び図１０）、編集用のメニュー画面Ｍ１１が表示され、またこの編集用のメニュー画面Ｍ１１におけるユーザーの操作に応動して、サムネイル画像データが画質補正処理されてプレビュー画面Ｍ６が表示され（図４）、またこのプレビュー画面Ｍ６に表示された撮像結果の解析結果が表示される（図４、Ｍ７）。
【００９６】
またこのようにしてプレビューの処理を実行する際に、サブウインドウＭ３による拡大表示、メイン画面Ｍ１における全画面表示が指示されている場合には、プレビュー画面による表示と連動して画質を補正した撮像結果がこれらサブウインドウＭ３、メイン画面Ｍ１に表示される。またプレビューの表示の一部領域の拡大表示が指示された場合には、サブウインドウＭ３、メイン画面Ｍ１にこの領域が拡大表示される。
【００９７】
この処理において、撮像結果は、始めにユーザーにより指示された条件によりサムネイル画像データＤＴが画質補正処理されて、これらサブウインドウＭ３、メイン画面Ｍ１に表示された後、バックグラウンドの処理によりＲＡＷデータＤＲが処理されて、これらサブウインドウＭ３、メイン画面Ｍ１の表示が、このＲＡＷデータＤＲによる表示に置き換えられる。
【００９８】
これによりユーザーにおいては、編集処理に係る各種の設定量を可変した場合に、この設定量の可変による画質の変化を即座に確認することができ、その分、使い勝手を向上することができる。またバックグラウンドの処理によりＲＡＷデータＤＲを処理して表示を置き換えることにより、最終的な編集結果の詳細な確認については、実際に編集処理したＲＡＷデータＤＲによる画像により確認することができ、その分、使い勝手を向上することができる。
【００９９】
しかしてこのシステムでは、このようにして撮影時の撮影情報に対応するように、編集作業による撮影情報を種々に変更してユーザーにより編集結果の保存が指示されると、この編集作業による撮影情報がＲＡＷデータファイルの対応するフィールドに追加記録され、これにより以降のファイルの再生において、編集結果による画質をサムネイル画像による表示に反映させることができる。
【０１００】
（３）実施例の効果
以上の構成によれば、ＲＡＷデータの間引きによるサムネイル画像データをＲＡＷデータ、表示に供する撮影時の画質補正情報と共に記録することにより、ＲＡＷデータによる撮像結果をサムネイル画像によりユーザーに紹介する時間を、従来に比して短くすることができる。
【０１０１】
また撮影情報に対応する編集時の撮影情報を追加記録可能に、これらＲＡＷデータ等を記録することにより、編集処理による撮影情報の追加により編集結果を保存して、この編集処理による画質の変化を反映させて、ＲＡＷデータによる撮像結果をサムネイル画像により紹介することができる。
【０１０２】
また画質補正情報を、光学系の設定の情報と共に撮影時の撮影情報により記録することにより、撮影時における電子スチルカメラの設定と同様のユーザーインターフェースにより編集処理に係る種々の設定を受け付けることができ、ユーザーの使い勝手を向上することができる。
【０１０３】
またこれらに加えて、画質補正済みのサムネイル画像の画像データを加えて記録することにより、汎用性を向上することができる。
【０１０４】
またＲＡＷデータの間引きによるサムネイル画像データをＲＡＷデータ、表示に供する撮影時の画質補正情報を含む撮影時の撮影情報と共に記録するようにして、このサムネイル画像データを画質補正情報により画質補正して一覧表示することにより、ＲＡＷデータによる撮像結果をサムネイル画像によりユーザーに紹介する時間を、従来に比して短くすることができる。
【０１０５】
また撮影時の情報に対応する編集処理による撮影情報により、サムネイル画像データを画質補正して表示し、この編集処理による撮影情報を追加記録することにより、編集結果の確認に要する時間を短くして、編集結果を保存することができ、またこの編集結果を短い時間によりサムネイル画像により紹介することができる。
【０１０６】
また編集処理による撮影情報でＲＡＷデータを画質補正して、サムネイル画像による編集結果の表示と置き換えることにより、短時間で編集結果を確認しつつ、かつ詳細については、実際に編集処理したＲＡＷデータによる画像により編集結果を確認することができ、その分、使い勝手を向上することができる。
【０１０７】
またこのようなサムネイル画像による編集結果の表示を、プレビューによる画像による部分的な拡大表示に適用して、ＲＡＷデータを編集処理による撮影情報で画質補正して、サムネイル画像による編集結果の表示と置き換えることにより、ユーザーによる操作に対するプレビュー画像におけるレスポンスを向上して、かつ実際に編集処理したＲＡＷデータによる画像により確認することができ、その分、使い勝手を向上することができる。
【実施例２】
【０１０８】
なお上述の実施例においては、画質補正前の画像データによるサムネイル画像データと、画質補正済みの画像データによるサムネイル画像データとをＲＡＷデータファイルに設定する場合について述べたが、本発明はこれに限らず、画質補正済みの画像データによるサムネイル画像データについては、必要に応じてＲＡＷデータファイルへの設定を省略するようにしてもよい。
【０１０９】
また上述の実施例においては、電子スチルカメラで取得した撮像結果を記録媒体に出力してコンピュータにより処理する場合について述べたが、本発明はこれに限らず、無線通信等によるデータ通信手段によりコンピュータに出力して処理する場合等にも広く適用することができる。
【０１１０】
また上述の実施例においては、電子スチルカメラで取得した撮像結果をコンピュータにより処理する場合について述べたが、本発明はこれに限らず、電子スチルカメラで取得した撮像結果をこの電子スチルカメラで編集処理する場合にも広く適用することができる。
【０１１１】
また上述の実施例においては、電子スチルカメラにより撮像結果を取得する場合について述べたが、本発明はこれに限らず、ビデオカメラ、カメラ付き携帯電話等により静止画による撮像結果を取得する場合等にも広く適用することができる。
【０１１２】
また上述の実施例においては、コンピュータにより撮像結果を処理する場合について述べたが、本発明はこれに限らず、専用の処理装置により撮像結果を処理する場合にも広く適用することができる。
【産業上の利用可能性】
【０１１３】
本発明は、例えば電子スチルカメラによるシステムに適用することができる。
【図面の簡単な説明】
【０１１４】
【図１】本発明の実施例に係る電子スチルカメラを示すブロック図である。
【図２】図１の電子スチルカメラによるファイルフォーマットを示す図表である。
【図３】図１の電子スチルカメラによる撮像結果を処理するコンピュータの構成を示すブロック図である。
【図４】図３のコンピュータによる編集プログラムの表示画面を示す平面図である。
【図５】図４の表示画面におけるサブウインドウを示す平面図である。
【図６】図５のサブウインドウの表示に係る処理手順を示すフローチャートである。
【図７】図３の表示画面における撮像結果の表示を示す平面図である。
【図８】図７の撮像結果の表示に係る処理手順を示すフローチャートである。
【図９】撮影情報の表示を示す平面図である。
【図１０】撮影情報の種類の表示を示す平面図である。
【図１１】編集処理の説明に供する平面図である。
【図１２】編集処理における処理手順を示すフローチャートである。
【符号の説明】
【０１１５】
１……電子スチルカメラ、２、２３……中央処理ユニット、３……撮像素子、４……前処理回路、５……光学補正回路、６……画像処理回路、７……エンコーダ、９……記録媒体、１０……ＲＡＷデータファイル生成回路
【図１】
2006340120.tif 000003
【図２】
2006340120.tif 000004
【図３】
2006340120.tif 000005
【図４】
2006340120.tif 000006
【図５】
2006340120.tif 000007
【図６】
2006340120.tif 000008
【図７】
2006340120.tif 000009
【図８】
2006340120.tif 000010
【図９】
2006340120.tif 000011
【図１０】
2006340120.tif 000012
【図１１】
2006340120.tif 000013
【図１２】
2006340120.tif 000014